(57)【要約】【課題】本発明は、携帯電話機において良好なアンテナ特性を維持しつつ一段と小型軽量化できるようにする。【解決手段】本発明は、基板１５と所定波長以上の長さ隔てられた位置に設けられたアンテナ素子１７を被覆する被覆部１０Ａに対して、アンテナ素子１７と基板１５との間に所定の大きさを有する貫通部１１を設け、当該被覆部１０Ａ又はその近傍の発光ランプ１２をＬＥＤ素子２１〜２３により照射して発光させることにより、貫通部１１を介して小型軽量化を図ることができると同時に、引出収納式のアンテナと比較してアンテナ素子１７の状態が不変であるため待受時及び通話時の双方においても良好なアンテナ特性を維持しつつ一段と小型軽量化することができる。【選択図】        図１
2004241939.tif 000002
【特許請求の範囲】
【請求項１】
アンテナの地導体として動作する導電性部材と、
上記導電性部材と所定波長以上の長さ隔てられた位置に設けられた上記アンテナの放射導体と、
上記放射導体を被覆すると共に当該放射導体と上記導電性部材との間に所定の大きさを有する貫通部を有する被覆手段と、
上記被覆手段又はその近傍を所定の発光素子によって照射することにより発光させる発光手段と
を具えることを特徴とする携帯無線機。
【請求項２】
上記被覆手段は、当該携帯無線機における筐体の一部でなる
ことを特徴とする請求項１に記載の携帯無線機。
【請求項３】
上記被覆手段は、可撓性部材でなる
ことを特徴とする請求項１に記載の携帯無線機。
【請求項４】
上記被覆手段が上記可撓性部材で構成されている場合、所定の補強部材が上記導電性部材と導通しない状態でかつ上記アンテナ素子に沿って設けられている
ことを特徴とする請求項３に記載の携帯無線機。
【請求項５】
上記発光手段は、上記被覆手段の内周面側を照射する
ことを特徴とする請求項１に記載の携帯無線機。
【請求項６】
上記発光手段は、着信ランプ又はカメラのフラッシュとしての機能を併せ持つ
ことを特徴とする請求項５に記載の携帯無線機。
【請求項７】
上記貫通部は、その貫通部分を閉鎖する透明板が設けられている
ことを特徴とする請求項１に記載の携帯無線機。
【請求項８】
上記発光手段は、上記発光素子によって上記透明板を照射する
ことを特徴とする請求項７に記載の携帯無線機。
【発明の詳細な説明】
【０００１】
【発明の属する技術分野】
本発明は携帯無線機に関し、例えば携帯電話機に適用して好適なものである。
【０００２】
【従来の技術】
従来、携帯電話機においては、携帯時すなわち待受時にはアンテナ素子を筐体内部に収納した状態で使用し、通話時にはアンテナ素子を筐体内部から引き出して使用する引出収納式のホイップアンテナを用いたものが主流である（例えば、特許文献１参照）。
【０００３】
【特許文献１】
特開平９−２６０９２０号公報（第２、３頁、図１Ａ〜図１Ｃ）
【０００４】
【発明が解決しようとする課題】
ところでかかる構成の携帯電話機においては、通話時のアンテナ引出状態のときに最も良好なアンテナ特性が得られるように設計されているため、待受時のアンテナ収納状態のときにはアンテナ引出状態のときに比べてアンテナ特性が劣化してしまうという問題がある。
【０００５】
またかかる構成の携帯電話機においては、アンテナ引出状態のときには良好なアンテナ特性が得られるが、アンテナを筐体内部から引き出すためにアンテナ素子が長く突出することになり、その分だけ携帯電話機全体として大型化してしまうという問題があった。
【０００６】
本発明は以上の点を考慮してなされたもので、良好なアンテナ特性を維持しつつ一段と小型軽量化し得る携帯無線機を提案しようとするものである。
【０００７】
【課題を解決するための手段】
かかる課題を解決するため本発明においては、アンテナの地導体として動作する導電性部材と、導電性部材と所定波長以上の長さ隔てられた位置に設けられたアンテナの放射導体と、放射導体を被覆すると共に当該放射導体と導電性部材との間に所定の大きさを有する貫通部を有する被覆手段と、被覆手段又はその近傍を所定の発光素子によって照射することにより発光させる発光手段とを設けるようにする。
【０００８】
導電性部材と所定波長以上の長さ隔てられた位置に設けられた放射導体を被覆する被覆手段に対し、放射導体と導電性部材との間に所定の大きさを有する貫通部を設け、当該被覆手段又はその近傍を所定の発光素子により照射して発光させることにより、携帯無線機全体としては貫通部を介して小型軽量化を図ることができると同時に、引出収納式のアンテナと比較して放射導体の状態が不変であるため待受時及び通話時の双方においても良好なアンテナ特性を維持しつつ発光手段によって発光機能を併せ持たせることができるので、スペースの有効利用を図って一段と小型軽量化することができる。
【０００９】
【発明の実施の形態】
以下、図面について、本発明の一実施の形態を詳述する。
【００１０】
（１）第１の実施の形態
図１及び図２において、１は本発明を適用した携帯無線機としての携帯電話機を示し、表示部筐体２と操作部筐体３とが当該操作部筐体３の端部に設けられた筐体回転軸４を中心として矢印方向へ回転可能に連結されており、表示部筐体２と操作部筐体３とが重ね合わされた閉塞状態（図１）から展開状態（図２）まで自在に回転し得るようになされている。
【００１１】
この表示部筐体２は、中央部分に液晶ディスプレイ等でなる表示部５が設けられると共に、当該表示部５の上方にはスピーカ６、下方には回転及び押圧操作可能なジョグダイヤル７が設けられている。
【００１２】
一方、操作部筐体３は、複数の各種操作ボタンを有する操作部８が設けられていると共に、開放端にはアンテナ素子（図示せず）を内蔵する着信表示兼用アンテナ部１０が設けられている。
【００１３】
また操作部筐体３は、内部に携帯電話機として機能するために必要な各種電気部品の搭載された基板（図示せず）が収納されており、一般的には導電性のシールドケース（図示せず）によって遮蔽されている。
【００１４】
着信表示兼用アンテナ部１０は、その外形が丸みを帯びた形状でアンテナ素子（図示せず）を被覆した被覆部１０Ａが操作部筐体３と一体に形成されていると共に、その外形形状にほぼ沿った外形で操作部筐体３の表面側から背面側へ貫通された貫通部１１が形成されており、その貫通部１１の周側面には当該貫通部１１と同形状でなり着信ランプの役割を担う発光ランプ１２が嵌め込まれて取り付けられている。
【００１５】
ここで図３に示すように、着信表示兼用アンテナ部１０のアンテナ構造としては、各種の電気部品が搭載された基板１５の左上端部に設けられた給電回路１６から当該着信表示兼用アンテナ部１０の外形にほぼ沿ったアーチ形状でなるアンテナ素子１７に給電されるようになされており、これによりアンテナとして動作する。なおアンテナ素子１７としては、ＮｉＴｉ等のある程度の変形であれば元の形状に復元する可逆性材料が用いられている。
【００１６】
この携帯電話機１としては、端末自体を小型化するためにアンテナ素子１７を引き出し収納式のホイップアンテナとして用いるのではなく、アンテナ素子１７を途中で折り曲げて逆Ｌアンテナとして用いることにより操作部筐体３の全長を短くして小型化を図るようになされている。
【００１７】
この場合、携帯電話機１は従来の携帯電話機のような引出収納式のホイップアンテナが用いられている場合と異なり、アンテナ素子１７の状態が通話時及び待受時のいずれにおいても変化しないため、常時良好なアンテナ特性を得られるようになされている。
【００１８】
ところで携帯電話機１としては、アンテナ素子１７を逆Ｌアンテナとして用いる際、周波数帯域との関係から、放射導体として動作するアンテナ素子１７と、アンテナのＧＮＤとして動作するシールドケースや基板１５等の導電性部材との間を所定波長以上の長さ隔てる必要があり、その長さに応じたサイズの貫通部１１を操作部筐体３の開放端側に形成するようになされている。
【００１９】
すなわち第１の実施の形態における携帯電話機１では、アンテナ素子１７と基板１５等の導電性部材との距離が所定波長以上の長さ必要とされるため、着信表示兼用アンテナ部１０と操作部筐体３とが一体形成されている構造では当該操作部筐体３が大型化してしまうことを避けることができない。
【００２０】
そこで携帯電話機１では、貫通部１１を設けることにより操作部筐体３が大型化してしまう分を当該貫通部１１によって補い、当該貫通部１１を介して視覚的に小型化されているかの印象をユーザに与え得ると同時に実質的な軽量化にも貢献し得るようになされている。
【００２１】
その結果、携帯電話機１は、表示部筐体２及び操作部筐体３の双方いずれにも外部からアンテナを目視できない構成とすることができると共に、貫通部１１によって見た目にも軽量化されていることを直感的にユーザに印象付け得るようになされている。
【００２２】
因みに、この場合には着信表示兼用アンテナ部１０の操作部筐体３と一体形成されている被覆部１０Ａがアンテナ素子１７を被覆することになるので、視覚的にアンテナ素子１７を外部から隠蔽し得、アンテナの存在をユーザに感じさせることがない。
【００２３】
一方、図４（Ａ）に示すように携帯電話機１は、操作部筐体３の背面構造として、撮像用に所定画素数のＣＣＤカメラ１８が設けられていると共に、指の形状を有する指掛用凹部１９が貫通部１１の近傍の所定位置に形成されている。
【００２４】
従って携帯電話機１は、図４（Ｂ）に示すように、例えばユーザが当該携帯電話機１を閉塞状態で保持する際に、操作部筐体３の背面に設けられた指掛用凹部１９に右手の人差し指を引っ掛け易くかつ人差し指を容易に引っ掛けられるように誘導し得るようになされている。
【００２５】
これにより携帯電話機１は、ユーザが当該携帯電話機１の閉塞状態において操作部筐体３を右手で保持したとき、破線で示すように人差し指が着信表示兼用アンテナ１０に掛けられることを回避し、かくして人差し指によって着信表示兼用アンテナ１０のアンテナ素子１７の外側が覆われることにより生じるアンテナ特性の劣化を防止して良好なアンテナ特性を維持し得るようになされている。
【００２６】
発光ランプ１２は、例えば半透明色でなるアクリル樹脂部材等でなり、図５に示すように、基板１５の上端に設けられた複数のＬＥＤ（Ｌｉｇｈｔ  Ｅｍｉｔｔｉｎｇ  Ｄｉｏｄｅ）素子２１、２２、２３を介して下方から照射されることにより、導光体として機能し、ほぼアクリル樹脂部材の全面に渡って発光するようになされている。なお発光ランプ１２は、アクリル樹脂部材そのものが発光するのではなく、あくまでＬＥＤ素子２１〜２３を介して間接的に発光するに過ぎない。
【００２７】
ここで発光ランプ１２は、図示しない制御部によってＬＥＤ素子２１、２２、２３の発光タイミングが制御されており、着信があったときに着信ランプとして発光することを主な機能としているが、メールを受信したときに発光したり、ＣＣＤカメラ１８によって撮影する際の簡易なフラッシュとして発光するようにもなされている。
【００２８】
以上の構成において、携帯電話機１は操作部筐体３の開放端側に設けられた着信表示兼用アンテナ部１０にアンテナ素子１７と基板１５との距離が所定波長以上必要とされるためのスペースをそのままデッドスペースとして無駄にするのではなく貫通部１１を設けるようにしたことにより、操作部筐体３の全長が長くなることが避けられないとしても当該貫通部１１によって視覚的にも小型化されているかのような印象をユーザに与え得ることができると同時に実質的な軽量化にも貢献することができる。
【００２９】
また携帯電話機１は、着信表示兼用アンテナ部１０における貫通部１１の周側面に設けられた発光部１２全体を着信時等のタイミングで発光するようにしたことにより、当該着信表示兼用アンテナ部１０をアンテナとしてだけ用いるのではなく着信ランプを兼用することができ、かくして操作部筐体３のスペースの有効利用を図ることができると共に発光ランプ１２の発光作用によってエンターテインメント性を向上させることができる。
【００３０】
さらに携帯電話機１は、操作部筐体３の背面構造として指掛用凹部１９が貫通部１１の近傍の所定位置に形成されていることにより、当該指掛用凹部１９に右手の人差し指を誘導することができるので、人差し指が着信表示兼用アンテナ１０のアンテナ素子１７の外側が覆われることにより生じるアンテナ特性の劣化を防止して良好なアンテナ特性を維持することができる。
【００３１】
以上の構成によれば、携帯電話機１はアンテナ素子１７と基板１５との距離が所定波長以上の長さ必要とされるための着信表示兼用アンテナ部１０におけるスペースに貫通部１１を設けると共に、当該貫通部１１の周側面に取り付けられた発光部１２全体を着信時等のタイミングで発光させることにより、アンテナと着信ランプとを兼用してスペースの有効利用を図ることができると共に良好なアンテナ特性を維持したまま当該貫通部１１によって視覚的な小型化及び実質的な軽量化を図ることができる。
【００３２】
（２）第２の実施の形態
図１との対応部分に同一符号を付して示す図６及び図７において、３０は本発明を適用した第２の実施の形態における携帯無線機としての携帯電話機を示し、表示部筐体２と操作部筐体３１とが当該操作部筐体３１の端部に設けられた筐体回転軸３２を中心として矢印方向へ回転可能に連結されており、表示部筐体２と操作部筐体３１とが重ね合わされた閉塞状態（図６）から展開状態（図７）まで自在に回転し得るようになされている。
【００３３】
この操作部筐体３１には、第１の実施の形態における操作部筐体３と同様、複数の各種操作ボタンを有する操作部８が設けられている。しかし、操作部筐体３１には、第１の実施の形態における操作部筐体３（図１及び図２）とは異なり、開放端にアンテナ素子（図示せず）の内蔵されたチューブ状着信表示兼用アンテナ部３３が当該操作部筐体３１とは別個に設けられていることを特徴とする。
【００３４】
図３との対応部分に同一符号を付して示す図８（Ａ）において、チューブ状着信表示兼用アンテナ部３３は、例えばその外形がほぼ半リング状を有し、エラストマーでなるチューブ状のアンテナカバー３４が操作部筐体３１の開放端から突出した状態で設けられている。
【００３５】
そのアンテナカバー３４の内側には、当該アンテナカバー３４の外形に沿った形状に折り曲げられた可逆性部材でなるアンテナ素子１７が入った構造を有している。
【００３６】
このようにチューブ状着信表示兼用アンテナ部３３は、アンテナ素子１７を覆う被覆手段としてのアンテナカバー３４に対してエラストマー等の弾性力を有する材料を用いるようにしたことにより、図８（Ｂ）に示すように例えば携帯電話機３０自体が落下したときにチューブ状着信表示兼用アンテナ３３のアンテナカバー３４が矢印方向へ自在に弾性変形し、衝撃等による破損から未然に防止し得るようになされている。
【００３７】
なお携帯電話機３０は、操作部筐体３の開放端に半リング状でなる弧の閉じたアンテナカバー３４によってアンテナ素子１７を被覆していることにより、当該アンテナ素子１７の先端が破損する等の損傷から未然に防止し得るようになされている。
【００３８】
しかしながらチューブ状着信表示兼用アンテナ部３３は、第１の実施の形態における着信表示兼用アンテナ部１０（図１及び図２）とは異なり、操作部筐体３１とは別体に設けられている分だけ当該アンテナカバー３４の部分が操作部筐体３１から突出することになる。
【００３９】
但し、チューブ状着信表示兼用アンテナ部３３におけるアンテナカバー３４の部分が操作部筐体３１から突出するとは言っても、当該アンテナカバー３４と操作部筐体３１とが別体で設けられていることにより、当該操作部筐体３１の全長が第１の実施の形態における携帯電話機１の操作部筐体３の全長よりも長くなることはない。
【００４０】
また同時に携帯電話機３０は、チューブ状着信表示兼用アンテナ部３３がほほ半リング状に構成されていることにより、通常のホイップアンテナと比較してみれば操作部筐体３１から僅かに突出するだけで済むと同時に、第１の実施の形態における携帯電話機１と比較すれば全体として一段と小型化した印象をユーザに与え得るようになされている。
【００４１】
なおチューブ状着信表示兼用アンテナ部３３の内部構造としては、各種の電気部品が搭載された基板１５の左上端部に設けられた給電回路１６からチューブ３４の外形に沿ったアーチ形状でなるアンテナ素子１７に給電されるようになされており、これによりアンテナとして動作する。なおアンテナ素子１７としては、ＮｉＴｉ等のある程度の変形であれば元の形状に復元する可逆性材料が用いられる。
【００４２】
この携帯電話機３０においても、アンテナ素子１７を逆Ｌアンテナとして用いる際、周波数帯域との関係から、放射導体として動作するアンテナ素子１７と、アンテナのＧＮＤとして動作するシールドケースや基板１５等の導電性部材との間を所定波長以上の長さ隔てる必要がある。
【００４３】
そこで携帯電話機３０においても、当該操作部筐体３３の開放端にその長さに応じたリング状のアンテナカバー３４を設けることにより、当該アンテナカバー３４と操作部筐体３３の開放端との間には当該操作部筐体３３の表面側から背面側へと貫通された貫通部３５を結果的に形成することができ、かくしてアンテナ素子１７と基板１５との間を所定波長以上の長さ隔てることができる。
【００４４】
なおこの場合、携帯電話機３０は、チューブ状着信表示兼用アンテナ部３３のアンテナカバー３４がユーザに対してアンテナを意識させることは殆どなく、携帯ストラップ用のフックか、又は装飾品であるかのような印象を与えるに過ぎず、操作部筐体３が大型化したという感覚や印象をユーザに対して与えることはないという特徴を持つ。
【００４５】
因みにこの携帯電話機３０についても、従来の携帯電話機のような引出収納式のホイップアンテナが用いられている場合と異なり、アンテナ素子１７の状態が通話時及び待受時の双方においても変化しないため、常時良好なアンテナ特性を得られるようになされている。
【００４６】
一方、図４（Ａ）との対応部分に同一符号を付して示す図９（Ａ）において携帯電話機３０は、操作部筐体３１の背面構造として、第１の実施の形態における操作部筐体３と同様、撮像用に所定画素数のＣＣＤカメラ１８が設けられていると共に、指掛用凹部１９が操作部筐体３１の開放端側端部の所定位置に形成されている。
【００４７】
従って携帯電話機３０は、図９（Ｂ）に示すように、例えばユーザが当該携帯電話機３０を閉塞状態で保持する際に、操作部筐体３１の背面に設けられた指掛用凹部１９に右手の人差し指を引っ掛け易くかつ人差し指を容易に引っ掛けられるように誘導し得るようになされている。
【００４８】
これにより携帯電話機３０は、ユーザが当該携帯電話機１の閉塞状態において操作部筐体３１を右手で保持したとき、破線で示すように人差し指が着信表示兼用アンテナ３３に掛けられることを回避し、かくして人差し指によって着信表示兼用アンテナ３３の外側が覆われることにより生じるアンテナ特性の劣化を防止して良好なアンテナ特性を維持し得るようになされている。
【００４９】
ところで図１０に示すように、チューブ状着信表示兼用アンテナ３３は、アンテナカバー３４の内側から、かつアンテナ素子１７の内周側に設けられた透明の導光チューブ４３をＬＥＤ素子４１及び４２によって照射することにより半透明の当該アンテナカバー３４の内周側を発光させて着信ランプとして動作させるようになされている。
【００５０】
この場合も、チューブ状着信表示兼用アンテナ３３は、アンテナカバー３４そのものが発光するのではなく、あくまでＬＥＤ素子４１及び４２を介して間接的に発光するに過ぎない。
【００５１】
ここでＬＥＤ素子４１及び４２の照射タイミングとしては、第１の実施の形態における発光ランプ１２と同様に、図示しない制御部によって発光タイミングが制御されており、着信があったときに着信ランプとして動作することを主の機能としているが、メールを受信したときに発光させたり、操作部筐体３１の背面に設けられたＣＣＤカメラ１８によって撮影する際の簡易なフラッシュとして発光させるようにもなされている。
【００５２】
以上の構成において、携帯電話機３０は操作部筐体３１の開放端側に半リング状でなるチューブ状着信表示兼用アンテナ部３３を当該操作部筐体３１とは別体として設けるようにしたことにより、第１の実施の形態における操作部筐体３のよりも操作部筐体３１の全長を一段と短くすることができると共に、チューブ状着信表示兼用アンテナ部３３のアンテナカバー３４だけが操作部筐体３１から僅かに突出するだけで済むので、全体としても一段と小型化しかつ軽量化することができる。
【００５３】
また携帯電話機３０は、チューブ状着信表示兼用アンテナ部３３のアンテナカバー３４にエラストマー等の弾性力を有する材料を用いるようにしたことにより、仮に携帯電話機３０自体が落下してアンテナカバー３４が衝撃を受けたとしても当該アンテナカバー３４が弾性変形（図８）することによって、当該衝撃等による破損からほぼ確実に防止することができる。
【００５４】
また携帯電話機３０は、チューブ状着信表示兼用アンテナ部３３のアンテナカバー３４をＬＥＤ素子４１及び４２によって着信時等のタイミングで発光するようにしたことにより、当該チューブ状着信表示兼用アンテナ部３３をアンテナとしてだけ用いるのではなく着信ランプとして兼用させることができる。
【００５５】
かくして携帯電話機３０は、操作部筐体３１自体のいずれかの箇所に着信ランプを設ける必要が無くなる分だけ当該操作部筐体３１におけるスペースの有効利用を図ることができると共にアンテナカバー３４の発光作用によってエンターテインメント性を向上させることができる。
【００５６】
さらに携帯電話機３０は、操作部筐体３１の背面構造として指掛用凹部１９が操作部筐体３１の開放端側の所定位置に形成されていることにより、当該指掛用凹部１９に右手の人差し指を誘導することができるので、チューブ状着信表示兼用アンテナ３３のアンテナ素子１７の外側が人差し指によって覆われることにより生じるアンテナ特性の劣化を防止して良好なアンテナ特性を維持することができる。
【００５７】
以上の構成によれば、携帯電話機３０は折り曲げられたアンテナ素子１７を半円リング状のアンテナカバー３４で被覆することにより、アンテナ素子１７と基板１５との間を所定波長以上の長さ隔てることを確保すると共に、アンテナカバー３４全体を着信時等のタイミングで発光させることにより、アンテナと着信ランプとを兼用してスペースの有効利用を図ることができると共に、当該操作部筐体３１自体を大型化させることなく良好なアンテナ特性を維持したまま小型化及び軽量化を図ることができる。
【００５８】
（３）他の実施の形態
なお上述の第１の実施の形態においては、本発明を表示部筐体２と操作部筐体３とが回転可能に連結された携帯電話機１に適用するようにした場合について述べたが、本発明はこれに限らず、スティック式の携帯電話機や折り畳み式の携帯電話機に適用するようにしても良い。
【００５９】
具体的には、図１１（Ａ）及び（Ｂ）に示すようにスティック型の携帯電話機で着信表示兼用アンテナ部４４を上側に設けた上側設置タイプのものや、着信表示兼用アンテナ部４５を下側に設けた下側設置タイプのものに適用するようにしても良い。
【００６０】
また図１２に示すように折り畳み式の携帯電話機でヒンジ部後方に着信表示兼用アンテナ部４６を設けたヒンジ部後方設置タイプのものに適用するようにしても良い。さらに図１３（Ａ）及び（Ｂ）に示すように折り畳み式の携帯電話機で着信表示兼用アンテナ部４７を下側に設けた下側設置タイプのものや、図１４（Ａ）及び（Ｂ）に示すように着信表示兼用アンテナ部４８を上側に設けた上側設置タイプのものに適用するようにしても良い。
【００６１】
また上述の第１の実施の形態においては、携帯電話機１の着信表示兼用アンテナ部１０に貫通部１１を設けるようにした場合について述べたが、本発明はこれに限らず、図１５に示すように貫通部１１の貫通部分に樹脂等でなるほぼ透明な窓部５０を設けるようにしても良く、また図１６に示すようにその窓部５０をＬＥＤ素子５１〜５３で照射することにより発光させるようにしても良い。なお窓部５０は、乳白色等の着色が付されていてもよく、また必ずしも透明でなくてもよい。
【００６２】
さらに上述の第１の実施の形態においては、携帯電話機１における着信表示兼用アンテナ部１０の貫通部１１の周側面に嵌め込むことにより発光ランプ１２を取り付けるようにした場合について述べたが、本発明はこれに限らず、図１７に示す携帯電話機６０のように、貫通部１１の周側面ではなく、着信表示兼用アンテナ部６１の先端部分に嵌め込むことにより発光ランプ６２を取り付けるようにしても良い。
【００６３】
さらに上述の第１及び第２の実施の形態においては、放射導体であるアンテナ素子１７としてモノポールアンテナを折り曲げたものを用いるようにした場合について述べたが、本発明はこれに限らず、図１８（Ａ）、（Ｂ）及び（Ｃ）に示すように、折り曲げた先をメアンダ形状にしたアンテナ素子７１や、ヘリカル形状にしたアンテン素子７２、又は逆Ｆアンテナ状にしたアンテナ素子７３等その他種々の形状のアンテナ素子を用いるようにしても良い。
【００６４】
さらに上述の第１及び第２の実施の形態においては、発光手段として発光ランプ１２、アンテナカバー３４をＬＥＤ素子等の発光素子によって照射することにより間接的に発光させるようにした場合について述べたが、本発明はこれに限らず、発光ランプ１２、アンテナカバーを直接発光させるようにしても良い。
【００６５】
さらに上述の第１及び第２の実施の形態においては、発光素子としてＬＥＤ素子を用いるようにした場合について述べたが、本発明はこれに限らず、ＥＬ（Ｅｌｅｃｔｒｏｎｉｃ  Ｌｕｍｉｎｅｓｃｅｎｔ）、冷陰極線管、豆電球等その他の種々の発光素子を用いるようにしても良い。
【００６６】
さらに上述の第２の実施の形態においては、チューブ状着信表示兼用アンテナ部３４にエラストマーでなるアンテナカバー３４を被覆手段として用いるようにした場合について述べたが、本発明はこれに限らず、図１９に示すように、そのアンテナカバー３４の内側に基板１５やシールドケースと絶縁した状態でネジ８１及び８２でネジ止めされた例えばピアノ線８３等の補強部材をアンテナ素子１７に沿って通すことにより強度向上を図るようにしても良い。
【００６７】
さらに上述の第１及び第２の実施の形態においては、本発明を携帯電話機に適用するようにした場合について述べたが、本発明はこれに限らず、ＰＨＳ（Ｐｅｒｓｏｎａｌ  Ｈａｎｄｙｐｈｏｎｅ  Ｓｙｓｔｅｍ）等の他の種々の携帯無線機に適用するようにしても良い。
【００６８】
【発明の効果】
上述のように本発明によれば、導電性部材と所定波長以上の長さ隔てられた位置に設けられた放射導体を被覆する被覆手段に対し、放射導体と導電性部材との間に所定の大きさを有する貫通部を設け、当該被覆手段又はその近傍を所定の発光素子により照射して発光させることにより、携帯無線機全体としては貫通部を介して小型軽量化を図ることができると同時に、引出収納式のアンテナと比較して放射導体の状態が不変であるため待受時及び通話時の双方においても良好なアンテナ特性を維持しつつ発光手段によって発光機能を併せ持たせることができるので、スペースの有効利用を図って一段と小型軽量化することができ、かくして良好なアンテナ特性を維持しつつ一段と小型軽量化し得る携帯無線機を実現できる。
【図面の簡単な説明】
【図１】第１の実施の形態における携帯電話機の全体構成（閉塞状態）を示す略線的斜視図である。
【図２】第１の実施の形態における携帯電話機の全体構成（展開状態）を示す略線的斜視図である。
【図３】第１の実施の形態における着信表示兼用アンテナ部のアンテナ構造を示す略線図である。
【図４】第１の実施の形態における操作部筐体の背面構造を示す略線図である。
【図５】第１の実施の形態における発光構造を示す略線図である。
【図６】第２の実施の形態における携帯電話機の全体構成（閉塞状態）を示す略線的斜視図である。
【図７】第２の実施の形態における携帯電話機の全体構成（展開状態）を示す略線的斜視図である。
【図８】第２の実施の形態におけるチューブ状着信表示兼用アンテナ部のアンテナ構造を示す略線図である。
【図９】第２の実施の形態における操作部筐体の背面構造を示す略線図である。
【図１０】第２の実施の形態における発光構造を示す略線図である。
【図１１】他の実施の形態における携帯電話機（１）を示す略線図である。
【図１２】他の実施の形態における携帯電話機（２）を示す略線図である。
【図１３】他の実施の形態における携帯電話機（３）を示す略線図である。
【図１４】他の実施の形態における携帯電話機（４）を示す略線図である。
【図１５】他の実施の形態における操作部筐体の構成（１）を示す略線図である。
【図１６】他の実施の形態における操作部筐体の構成（２）を示す略線図である。
【図１７】他の実施の形態における発光ランプの構成を示す略線図である。
【図１８】他の実施の形態におけるアンテナ素子の構成を示す略線図である。
【図１９】他の実施の形態におけるチューブ状着信表示兼用アンテナ部の構造を示す略線図である。
【符号の説明】
１、３０、６０……携帯電話機、２……表示部筐体、３、３１……操作部筐体、４……筐体回転軸、５……表示部、１０……着信表示兼用アンテナ部、１１……貫通部、１２、６１……発光ランプ、１５……基板、１６……給電回路、１７……アンテナ素子、１９……凹部、２１、２２、２３、３８、３９、５１、５２、５３……ＬＥＤ素子、３４……アンテナカバー。
【図１】
2004241939.tif 000003
【図２】
2004241939.tif 000004
【図３】
2004241939.tif 000005
【図４】
2004241939.tif 000006
【図５】
2004241939.tif 000007
【図６】
2004241939.tif 000008
【図７】
2004241939.tif 000009
【図８】
2004241939.tif 000010
【図９】
2004241939.tif 000011
【図１０】
2004241939.tif 000012
【図１１】
2004241939.tif 000013
【図１２】
2004241939.tif 000014
【図１３】
2004241939.tif 000015
【図１４】
2004241939.tif 000016
【図１５】
2004241939.tif 000017
【図１６】
2004241939.tif 000018
【図１７】
2004241939.tif 000019
【図１８】
2004241939.tif 000020
【図１９】
2004241939.tif 000021